(57)【要約】【課題】  内周面の汚染を防止することができるおまるを提供する。【解決手段】  吸水シート８１を中桶１２の底面５１に敷いた状態において、吸水シーツ８１の周縁部が中桶１２の長辺側壁面５５，５５及び短辺側壁面５４，５４に沿って立ち上がるように構成し、吸水シーツ８１が底面５１及び各側壁面５４，５５が構成する内周面９１を全周に渡って覆う寸法に設定する。吸水シーツ８１の立ち上がり部分は、各側壁面５４，５５の上端に達する。中桶１２の各側壁面５４，５５と便座部１４の延出部４１との間に、各側壁面５４，５５に沿って配置された吸水シーツ８１の上端部を介在させる介在部１０４を形成する。【選択図】        図４
2006288854.tif 000002
【特許請求の範囲】
【請求項１】
シートをセットした状態で排泄物が収容される容器部を備えるとともに、該容器部の底面に敷いた状態で周縁部が前記容器部の内周面を全周に渡って覆う寸法の前記シートを備えたことを特徴とするおまる。
【請求項２】
前記容器部の前記底面は矩形状に形成され、前記シートは、前記底面の各辺に起立した側壁面の総てを覆うことを特徴とした請求項１記載のおまる。
【請求項３】
前記容器部の前記底面は矩形状に形成され、前記シートは、前記底面と該底面の各辺に起立した四方の側壁面との五面を覆うことを特徴とした請求項１記載のおまる。
【請求項４】
前記シートを前記底面に敷いた状態で当該シートの周縁が前記内周面に沿って立ち上がるとともに、当該シートの立ち上がり部分が前記内周面の上端に達する長さを有することを特徴とした請求項１、２又は３記載のおまる。
【請求項５】
前記容器部の前記底面を一方向に長い長形状に形成し、該底面に敷かれた前記シートの周縁部が、前記底面の短手方向に延在する短辺より起立した短辺側壁面及び前記底面の長手方向に延在する長辺より起立した長辺側壁面に沿って立ち上がるように構成する一方、
前記容器部上に配置される便座部に、下方へ向けて延出する延出部を設け、該延出部と少なくとも前記長辺側壁面との間に、前記シートの端部を介在させる介在部を形成したことを特徴とする請求項１から４にいずれか記載のおまる。
【請求項６】
前記シートの裏面を不透液性バックシートで構成したことを特徴とする請求項１から５にいずれか記載のおまる。
【発明の詳細な説明】
【技術分野】
【０００１】
本発明は、便器を構成するおまるに関する。
【背景技術】
【０００２】
従来、幼児にトイレを仕付ける際には、おまるが使用されている。
【０００３】
該おまるは、容器状に形成されており、その底面にシートを敷いて使用するように構成されている。
【０００４】
これにより、底面の汚れを防止できるように構成されている。
【発明の開示】
【発明が解決しようとする課題】
【０００５】
しかしながら、このような従来のおまるにあっては、尿等が内周面に付着し、内周面を汚染するという問題があった。
【０００６】
本発明は、このような従来の課題に鑑みてなされたものであり、内周面の汚染を防止することができるおまるを提供することを目的とするものである。
【課題を解決するための手段】
【０００７】
前記課題を解決するために本発明の請求項１のおまるにあっては、シートをセットした状態で排泄物が収容される容器部を備えるとともに、該容器部の底面に敷いた状態で周縁部が前記容器部の内周面を全周に渡って覆う寸法の前記シートを備えている。
【０００８】
すなわち、おまるを使用する際には、容器部の底面にシートを敷く。このとき、このシートは、前記底面に敷いた状態で周縁部が前記容器部の内周面を全周に渡って覆う寸法に設定されている。
【０００９】
このため、前記容器部は、前記底面のみならず、前記内周面が前記シートによって覆われる。
【００１０】
また、請求項２のおまるにおいては、前記容器部の前記底面は矩形状に形成され、前記シートは、前記底面の各辺に起立した側壁面の総てを覆う。
【００１１】
これにより、矩形状に形成された容器部は、底面と四側壁面とが前記シートで覆われる。
【００１２】
さらに、請求項３のおまるでは、前記容器部の前記底面は矩形状に形成され、前記シートは、前記底面と該底面の各辺に起立した四方の側壁面との五面を覆う。
【００１３】
これにより、シートによって底面と該底面の各辺に起立した四方の側壁面との五面のほぼ全面を覆うことができる。
【００１４】
また、容器部に収容された前記シートを立体形状にすることができるので、使用後のシートの捨て易さが向上する。
【００１５】
加えて、請求項４のおまるでは、前記シートを前記底面に敷いた状態で当該シートの周縁が前記内周面に沿って立ち上がるとともに、当該シートの立ち上がり部分が前記内周面の上端に達する長さを有する。
【００１６】
これにより、容器部の内周面は、底面側の下端から上端までの全域が前記シートで覆われる。
【００１７】
また、請求項５のおまるにあっては、前記容器部の前記底面を一方向に長い長形状に形成し、該底面に敷かれた前記シートの周縁部が、前記底面の短手方向に延在する短辺より起立した短辺側壁面及び前記底面の長手方向に延在する長辺より起立した長辺側壁面に沿って立ち上がるように構成する一方、前記容器部上に配置される便座部に、下方へ向けて延出する延出部を設け、該延出部と少なくとも前記長辺側壁面との間に、前記シートの端部を介在させる介在部を形成した。
【００１８】
すなわち、容器部の底面は、長形状に形成されており、この底面に敷かれたシートの周縁部は、前記底面の短辺より起立した短辺側壁面及び前記底面の長辺より起立した長辺側壁面に沿って立ち上がる。このとき、前記長辺側壁面に沿って立ち上がるシートの立ち上がり部分は、前記短辺側壁面に沿って立ち上がる立ち上がり部分と比較して、横幅が長い分、倒れ易くなる。
【００１９】
そこで、少なくとも前記長辺側壁面と便座部に設けられた延出部との間に、介在部を設けることによって、この介在部に、前記長辺側壁面に沿って立ち上がる前記シートの端部を介在させることができる。これにより、前記長辺側壁面に沿った前記シートの立ち上がり部分の不用意な倒れを、前記長辺側壁面と前記延出部との間に介在させた状態で防止することができる。
【００２０】
なお、前記容器部の底面が平面視ヒョウタン形状であっても、前記介在部に前記シートの端部を介在させることができるため、不用意な倒れを防止することができる。
【００２１】
さらに、請求項６のおまるにおいては、前記シートの裏面を不透液性バックシートで構成した。
【００２２】
これにより、当該シートの不用意な破れが防止される。
【発明の効果】
【００２３】
以上説明したように、本発明の請求項１のおまるにあっては、排泄物を収容する容器部の内周面もシートによって覆うことができる。これにより、前記容器部の前記内周面へ向けた排尿を、前記シートで受け止めることができる。
【００２４】
したがって、排尿が前記内周面に付着し、該内周面を汚染するといった問題を解消することができ、前記底面のみならず前記内周面の汚染も防止することができる。
【００２５】
また、請求項２のおまるにおいては、矩形状に形成された容器部において、底面と四側壁面とをシートで覆うことができる。
【００２６】
これにより、隣接した側壁面と底面と間の角部での汚染を防止することができるため、清掃作業が容易となる。
【００２７】
さらに、請求項３のおまるでは、容器部の五面をシートで覆うことにより、容器部に収容されたシートを立体形状にすることができる。これにより、使用後のシートの捨て易さの向上を図ることができる。
【００２８】
加えて、請求項４のおまるでは、容器部の内周面において、底面側の下端から上端までの全域をシートで覆うことができる。
【００２９】
加えて、請求項５のおまるにあっては、少なくとも長辺側壁面と便座部に設けられた延出部との間に形成された介在部に、前記長辺側壁面に沿って立ち上がるシートの端部を介在させることによって、比較的倒れ易い前記長辺側壁面に沿った前記シートの立ち上がり部分の不用意な倒れを、前記長辺側壁面と前記延出部との間に介在させた状態で防止することができる。
【００３０】
また、請求項６のおまるにおいては、前記シートの裏面を不透液性バックシートで構成することによって、当該シートの不用意な破れを防止することができる。
【発明を実施するための最良の形態】
【００３１】
以下、本発明の一実施の形態を図に従って説明する。図１は、本実施の形態にかかるおまる１を示す図であり、該おまる１は、持ち運び可能な便器を構成するものである。
【００３２】
このおまる１は、幼児用であって、幼児にトイレを仕付ける際に使用される。前記おまる１は、図２にも示すように、外周部を構成する縦長のおまる本体１１と、該おまる本体１１に収容される容器部としての中桶１２と、前記おまる本体１１の上縁部１３に載置された状態で支持される便座部１４と、該便座部１４に形成された開口部１５を閉鎖する蓋体１６とによって構成されている。
【００３３】
前記おまる本体１１の中央部には縦長の収容凹部２１が形成されており、該収容凹部２１内に前記中桶１２を収容できるように構成されている。前記収容凹部２１を包囲する前記おまる本体１１の前記上縁部１３には、位置決め部２２，・・・が四カ所に設けられており、前記便座部１４下面に形成された図外の被位置決め部と係合することで、前記おまる本体１１に対する前記便座部１４の固定位置を位置決めできるように構成されている。
【００３４】
前記便座部１４は、縦方向の長さ寸法が横幅寸法より長く設定され、前記おまる本体１１に適合した縦長形状に形成されている。この便座部１４の長さ方向前端部には、ハンドル部３１が立設されており、使用時には、このハンドル部３１が前方に配置した状態で、当該便座部１４を幅方向に跨いで使用できるように構成されている。
【００３５】
また、この便座部１４には、リング状に形成されており、中央部には、縦長の前記開口部１５が開設されている。前記便座部１４の内周縁からは、下方の向けて延出する延出部４１が一体形成されており、前記開口部１５の開口縁は、この延出部４１によって形成されている。
【００３６】
前記中桶１２は、図３にも示すように、矩形容器状に形成されており、排泄物を収容できるように構成されている。この中桶１２の底面５１は、短手方向に延在する相対向した短辺５２，５２と、長手方向に延在する相対向した長辺５３とを有する長形状としての長方形状に形成されており、両長辺５３は、中央部が外側に突出した湾曲形状に形成されている。前記各短辺５２，５２には、上方へ向けて延出する短辺側壁面５４，５４が立設されており、前記各長辺５３には、上方へ向けて延出する長辺側壁面５５，５５が立設されている。
【００３７】
該長辺側壁面５５は、前記長辺５３に沿った湾曲面で構成されており、中央部が外側に張り出している。この長辺側壁面５５の端部は、前記短辺側壁面５４の端縁に連設されており、前記各側壁面５４，５４，５５，５５によって当該中桶１２の周壁が形成されている。前記各側壁面５４，５４，５５，５５の上縁からは、外周方向へ向けて延出するフランジ部６１が形成されており、前記短辺側壁面５４，５４から延出したフランジ部６１の部位には、上方に膨出した取っ手部６２，６２が形成されている。
【００３８】
前記長辺側壁面５５，５５と前記短辺側壁面５４，５４との交差するコーナー部７１，・・・には、外側に張り出した張出部７２，・・・が形成されており、該張出部７２は、前記長辺側壁面５５から斜め側方に延出した長辺側延出片７３と、前記短辺側壁面５４から斜め側方に延出した短辺側延出片７４とによって構成されている。両延延出片７３，７４は、幅寸法が上方から下方へ向かうに従って短くなる三角形状に形成されており、当該張出部７２が形成する開口部は、平面視が三角形状であって、その開口面積が上方へ向かうに従って大きくなるように構成されている。
【００３９】
当該おまる１は、図４及び図５に示すように、使用時に前記中桶１２に敷かれるシートとしての吸水シーツ８１を備えている。該吸水シーツ８１は、図６の（ａ）に示すように、長方形状に形成されており、図６の（ｂ）に示すように、その裏面は、ポリエチレンでで構成された不透液性バックシート８２で構成されている。また、前記吸水シーツ８１の表面は、透水性の不織布８３で構成されており、該不織布８３と前記不透液性バックシート８２との間には、高吸収ポリマー８４及び綿状パルプ８５からなる吸水性を有した吸収体８６が収容されている。
【００４０】
なお、本実施の形態では、吸水シーツ８１に高吸収ポリマー８４を用いたが、場合によっては、抗菌高吸収ポリマーを加えても良い。
【００４１】
そして、前記不織布８３は、その周縁が前記不透液性バックシート８２に熱溶着などによって固定されており、当該吸水シーツ８１の周縁部には、前記吸収体８６を不具備な耳部８７が形成されている。
【００４２】
この吸水シーツ８１を、図４及び図５に示したように、排泄物を収容する前記中桶１２の底面５１に敷いた状態では、当該吸水シーツ８１の周縁部が前記中桶１２の前記長辺側壁面５５，５５及び前記短辺側壁面５４，５４に沿って立ち上がるように構成されており、この状態において、前記吸水シーツ８１は、前記底面５１及び該底面５１に起立した前記各側壁面５４，５４，５５，５５が構成する内周面９１を全周に渡って覆う寸法に設定されている。また、前記吸水シーツ８１は、その立ち上がり部分が前記各側壁面５４，５４，５５，５５の上端に達するように、その短辺方向９２及び長辺方向９３の長さが設定されている（図６の（ａ）参照）。
【００４３】
そして、前記中桶１２の底面５１には、図４及び図５に示したように、下方に突出する凸条１０１がリング状に形成されており、該凸条１０１が前記おまる本体１１の収容凹部２１底面１０２に凹設された段差部１０３に収容された状態で位置決めされるように構成されている。この位置決め状態において、前記中桶１２の前記各側壁面５４，５４，５５，５５と前記便座部１４に形成された前記延出部４１との間には、前記各側壁面５４，５４，５５，５５に沿って配置された前記吸水シーツ８１の上端部を介在させる介在部１０４が前記中桶１２の周壁の内側に形成されている。
【００４４】
以上の構成にかかる本実施の形態において、おまる１を使用する際には、中桶１２の底面５１に吸水シーツ８１を敷く。このとき、この吸水シーツ８１は、前記底面５１に敷いた状態で周縁部が前記中桶１２の内周面９１を全周に渡って覆う寸法に設定されている。
【００４５】
このため、前記中桶１２は、前記底面５１のみならず、前記内周面９１も前記吸水シーツ８１で覆うことができる。これにより、前記中桶１２の前記内周面９１へ向けた排尿を、前記吸水シーツ８１で受け止めることができる。
【００４６】
したがって、排尿が前記内周面９１に付着し、該内周面９１を汚染するといった問題を解消することができ、前記底面５１のみならず前記内周面９１の汚染も防止することができる。
【００４７】
このとき、前記吸水シーツ８１の裏面は、不透液性バックシート８２で構成されている。これにより、当該吸水シーツ８１の不用意な破れを防止することができる。
【００４８】
また、前記中桶１２の前記底面５１は長方形状に形成されており、前記吸水シーツ８１は、前記底面５１の各辺５２，５２，５３，５３に起立した各側壁面５４，５４，５５，５５の総てを覆うように構成されている。
【００４９】
これにより、矩形状に形成された中桶１２の底面と四側壁面５４，５４，５５，５５とを前記吸水シーツ８１で覆うことができる。よって、隣接した側壁面５４，５４，５５，５５と前記底面５１と間の角部分での汚染を防止することができ、清掃作業が容易となる。
【００５０】
さらに、前記中桶１２の前記内周面９１は、前記底面５１側の下端から上端までの全域を前記吸水シーツ８１で覆うことができる。
【００５１】
一方、前記中桶１２の前記底面５１は、長方形状に形成されており、この底面５１に敷かれた前記吸水シーツ８１の周縁部は、前記底面５１に起立した各側壁面５４，５４，５５，５５に沿って立ち上がる。このとき、前記長辺側壁面５５，５５に沿って立ち上がる前記吸水シーツ８１の立ち上がり部分は、前記短辺側壁面５４，５４に沿って立ち上がる立ち上がり部分と比較して、横幅が長い分、倒れ易くなる。
【００５２】
そこで、少なくとも前記長辺側壁面５５，５５と前記便座部１４に設けられた延出部４１との間に介在部１０４を設けることによって、この介在部１０４に、前記長辺側壁面５５，５５に沿って立ち上がる前記吸水シーツ８１の端部を介在させることができる。
【００５３】
これにより、比較的倒れ易い前記長辺側壁面５５，５５に沿った前記吸水シーツ８１の立ち上がり部分の不用意な倒れを、前記長辺側壁面５５，５５と前記延出部４１との間の介在部１０４に介在させた状態で防止することができる。同様に、前記短辺側壁面５４，５４に沿った前記吸水シーツ８１の立ち上がり部分の不用意な倒れも、前記短辺側壁面５４，５４と前記延出部４１との間の介在部１０４に介在させた状態で防止することもできる。
【００５４】
なお、前記中桶１２の底面５１が平面視ヒョウタン形状であっても、前記介在部１０４に前記吸水シーツ８１の端部を介在させることができるため、当該吸水シーツ８１の不用意な倒れを防止することができる。
【００５５】
そして、本実施の形態にあっては、長方形状の吸水シーツ８１を各側壁面５４，５４，５５，５５に沿って折り曲げて使用した場合を例に挙げて説明したが、これに限定されるものでは無く、前記中桶１２の形状に合わせて立体縫製した吸水シーツ８１を使用しても良い。
【図面の簡単な説明】
【００５６】
【図１】本発明の一実施の形態を示す斜視図である。
【図２】同実施の形態の分解斜視図である。
【図３】同実施の形態の中桶を示す斜視図である。
【図４】同実施の形態の縦方向に沿った断面図である。
【図５】同実施の形態の横方向に沿った断面図である。
【図６】同実施の形態の吸水シーツを示す図で、（ａ）は平面図であり、（ｂ）は要部の断面図ある。
【符号の説明】
【００５７】
１    おまる
１１    おまる本体
１２    中桶
１４    便座部
４１    延出部
５１    底面
５２    短辺
５３    長辺
５４    短辺側壁部
５５    長辺側壁部
８１    吸水シーツ
９１    内周面
１０４    介在部
【図１】
2006288854.tif 000003
【図２】
2006288854.tif 000004
【図３】
2006288854.tif 000005
【図４】
2006288854.tif 000006
【図５】
2006288854.tif 000007
【図６】
2006288854.tif 000008